(57)【要約】【課題】検査直前に医師により依頼された検査内容の確認を容易に行うことができ、確実に検査内容を確認でき、検査依頼と検査の実施の整合性を図る。【解決手段】患者及び検査依頼者に対応づけて予め患者に対して行うべき検査の内容を表す第１検査内容データを記憶する記憶手段と、特定の患者に対する検査を特定するための入力された検査特定情報に基づいて検査管理サーバに対し、検査に先立って問い合わせを行い、当該問い合わせ時点における特定の患者に対して行うべき検査の内容を表す第２検査内容データの通知を受け取る検査内容受取手段と、特定の患者に対応する、第１検査内容データと、第２検査内容データと、を比較し、特定の患者に対して行うべき検査の内容に変更があった場合には、その旨を通知する通知手段と、を備える。【選択図】図７
2013131021.tif 000002
【特許請求の範囲】
【請求項１】
患者及び検査依頼者に対応づけて予め前記患者に対して行うべき検査の内容を表す第１検査内容データを記憶する記憶手段と、
特定の患者に対する検査を特定するための検査特定情報が入力される検査情報入力手段と、
前記検査特定情報に基づいて検査管理サーバに対し、検査に先立って問い合わせを行い、当該問い合わせ時点における前記特定の患者に対して行うべき検査の内容を表す第２検査内容データの通知を受け取る検査内容受取手段と、
前記特定の患者に対応する、前記第１検査内容データと、前記第２検査内容データと、を比較し、前記特定の患者に対して行うべき検査の内容に変更があった場合には、その旨を通知する通知手段と、
を備えた検査支援装置。
【請求項２】
前記通知手段は、前記検査の内容に変更があった場合には、前記第１検査内容データ及び前記第２検査内容データに基づいて、当該変更された検査内容を変更されていない検査内容と識別可能に通知する、
請求項１記載の検査支援装置。
【請求項３】
前記通知手段は、前記変更された検査内容を変更されていない検査内容と識別可能な態様で表示する表示手段を備えた請求項２記載の検査支援装置。
【請求項４】
前記検査特定情報は、前記特定の患者に割り当てられるコードシンボルに含まれるように構成されており、
前記検査情報入力手段は、前記コードシンボルを読み取るコード読取手段を備えている請求項１乃至請求項３のいずれかに記載の検査支援装置。
【請求項５】
検査依頼者からの依頼に対応する、特定の患者に対して行うべき検査の内容を、前記特定の患者及び前記検査依頼者に対応づけて検査内容データとして予め記憶する検査内容記憶手段と、前記検査内容データを予め第１検査内容データとして通知する第１通知手段と、特定の患者に対する検査を特定して検査内容データに対する問い合わせがあった場合に、対応する検査内容データを第２検査内容データとして問い合わせ元に通知する第２通知手段と、を有する検査管理サーバと、
通知された前記第１検査内容データを記憶する記憶手段と、特定の患者に対する検査を特定するための検査特定情報が入力される検査情報入力手段と、前記検査特定情報に基づいて検査管理サーバに対し、検査に先立って前記問い合わせを行い、通知された前記第２検査内容データの通知を受け取る検査内容受取手段と、前記特定の患者に対応する、前記第１検査内容データと、前記第２検査内容データと、を比較し、前記特定の患者に対して行うべき検査の内容に変更があった場合には、その旨を通知する通知手段と、を有する検査支援装置と、
を備えた検査支援システム。
【請求項６】
通信ネットワークを介して検査管理サーバと通信可能に接続された検査支援装置をコンピュータにより制御するための制御プログラムであって、
前記コンピュータを、
患者及び検査依頼者に対応づけて予め前記患者に対して行うべき検査の内容を表す第１検査内容データを記憶する記憶手段と、
特定の患者に対する検査を特定するための検査特定情報が入力される検査情報入力手段と、
前記検査特定情報に基づいて検査管理サーバに対し、検査に先立って問い合わせを行い、当該問い合わせ時点における前記特定の患者に対して行うべき検査の内容を表す第２検査内容データの通知を受け取る検査内容受取手段と、
前記特定の患者に対応する、前記第１検査内容データと、前記第２検査内容データと、を比較し、前記特定の患者に対して行うべき検査の内容に変更があった場合には、その旨を通知する通知手段と、
して機能させる制御プログラム。
【発明の詳細な説明】
【技術分野】
【０００１】
本発明の実施形態は、検査支援装置、検査支援システム及び制御プログラムに関する。
【背景技術】
【０００２】
近年、コンピュータ技術の普及に伴い、医療分野においても電子カルテ等様々な情報を電子データで管理することが行われている。これに伴い、病院内で行われる検査業務の管理を行うシステムについても提案されている（例えば、特許文献１参照）。
【発明の概要】
【発明が解決しようとする課題】
【０００３】
しかしながら、上記従来の技術は、提示された検査手順にしたがって検査を円滑に行うことを目的としており、検査内容についての整合性などについては、従来と同様、検査を行う検査技師等の担当者が行うものとなっていた。
【課題を解決するための手段】
【０００４】
実施形態の検査支援装置の記憶手段は、患者及び検査依頼者に対応づけて予め前記患者に対して行うべき検査の内容を表す第１検査内容データを記憶する。
一方、検査情報入力手段は、特定の患者に対する検査を特定するための検査特定情報が入力される。
これにより検査内容受取手段は、検査特定情報に基づいて検査管理サーバに対し、検査に先立って問い合わせを行い、当該問い合わせ時点における特定の患者に対して行うべき検査の内容を表す第２検査内容データの通知を受け取る。
この結果、通知手段は、特定の患者に対応する、第１検査内容データと、第２検査内容データと、を比較し、特定の患者に対して行うべき検査の内容に変更があった場合には、その旨を通知する。
【図面の簡単な説明】
【０００５】
【図１】図１は、実施形態の検査管理システムの概要構成ブロック図である。
【図２】図２は、検査管理システムの概要構成ブロック図である。
【図３】図３は、第１実施形態のハンディターミナルの概要構成ブロック図である。
【図４】図４は、第１実施形態における検査前の処理タイミングチャートである。
【図５】図５は、第１実施形態における検査前の動作説明図である。
【図６】図６は、ハンディターミナルにおける画面表示例の説明図である。
【図７】図７は、第１実施形態における検査時の処理タイミングチャートである。
【図８】図８は、第１実施形態における検査時の動作説明図である。
【図９】図９は、第２実施形態における検査時の動作説明図である。
【発明を実施するための形態】
【０００６】
次に図面を参照して、実施形態について詳細に説明する。
［１］第１実施形態
図１は、実施形態の検査管理システムの概要構成ブロック図である。
検査管理システム１０は、大別すると、電子カルテを管理する電子カルテ管理サーバ１１と、医師等が電子カルテに対する入力、読出操作を行うための複数の情報端末装置１２と、電子カルテ管理サーバ１１の下で各種検査を管理する検査管理システム１３と、看護師等が携帯し、各種情報の入力や確認を行うための複数のハンディターミナル１４と、ハンディターミナル１４を無線通信ネットワーク１５及び通信ネットワーク１６を介して電子カルテ管理サーバ１１に接続するために病院内に配置された複数のアクセスポイント１７と、を備えている。
【０００７】
電子カルテ管理サーバ１１は、図示しないＭＰＵ、ＲＯＭ、ＲＡＭ、電子カルテデータベース（ＤＢ）を格納した外部記憶装置及び通信インタフェースを含む情報処理装置（ワークステーション、コンピュータ）として構成されている。
【０００８】
情報端末装置１２は、図示しないＭＰＵ、ＲＯＭ、ＲＡＭ、外部記憶装置及び通信インタフェースを含む情報処理装置（ワークステーション、コンピュータ）として構成された情報端末装置本体と、各種情報を表示するディスプレイと、各種操作を行う操作端末と、各種情報の印刷出力を行うプリンタと、を備えている。
通信ネットワーク１６としては、インターネット等の公衆通信ネットワークの他、構内ＬＡＮ等で構成されていてもよい。あるいはインターネットと構内ＬＡＮとの組み合わせのように複数の通信ネットワークが組み合わせられて構築されていてもよい。
【０００９】
図２は、検査管理システムの概要構成ブロック図である。
検査管理システム１３は、図２に示すように、検査管理システム１３全体を制御する検査管理サーバ２１と、各種情報を表示するディスプレイ２２と、各種操作を行う操作端末２３と、各種情報の印刷出力を行うプリンタ２４と、薬剤データベースを含む各種データを記憶する外部記憶装置２５と、を備えている。
ここで、検査管理サーバ２１は、図示しないＭＰＵ、ＲＯＭ、ＲＡＭ、外部記憶装置及び通信インタフェースを含む情報処理装置（ワークステーション、コンピュータ）として構成されている。
【００１０】
図３は、第１実施形態のハンディターミナルの概要構成ブロック図である。
ハンディターミナル１４は、コードシンボルを読み取るコードシンボル読取装置（コードシンボル読取手段）としてのスキャナ（カメラ、撮像装置）３１と、各種情報を表示するためのディスプレイ３２と、ディスプレイ３２と一体となってタッチパネルディスプレイを構成し、ユーザが各種操作を行うためのタッチパネル３３と、アクセスポイント１７との間の無線通信インタフェース動作を行う無線通信インタフェース部（ＩＦ）３４と、を備えている。
【００１１】
さらにハンディターミナル１４は、ハンディターミナル１４全体の制御を行うＭＰＵ３５と、制御プログラム等の各種データを不揮発的に記憶するＲＯＭ３６と、ワーキングエリアとして用いられ、各種データを一時的に記憶するＲＡＭ３７と、ファームウェア及び各種の設定データ等を不揮発的、かつ、更新可能に記憶するフラッシュＲＯＭ３８と、図示しないバックアップ電源が接続され、ハンディターミナル１４の電源がオフ状態であっても現在時刻をカウントし続け、電源がオン状態においてＭＰＵ３５に対して現在時刻データを出力可能なリアルタイムクロック（ＲＴＣ）３９と、スキャナ３１、ディスプレイ３２及びタッチパネル３３との間でインタフェース動作を行う入出力インタフェース部４０と、を備えている。
【００１２】
ここで、ＭＰＵ３５と、ＲＯＭ３６、ＲＡＭ３７、フラッシュＲＯＭ３８、リアルタイムクロック３９及び入出力インタフェース部（Ｉ／Ｏ）４０と、は、バス４１を介して接続されている。
【００１３】
次に第１実施形態の動作を説明する。
図４は、第１実施形態における検査前の処理タイミングチャートである。
図５は、第１実施形態における検査前の動作説明図である。
以下の説明においては、医師が電子カルテに対する検査依頼の入力を行い、検査に先立って検査内容を検査技師（あるいは看護師）に対応するハンディターミナル１４に通知し、その後、検査技師（あるいは看護師）が対面状態にいる患者に対して検査を行う場合を例として説明する。
【００１４】
まず医師が情報端末装置１２を介して、所望の検査指示（検査内容）に対応する検査依頼データについて、電子カルテ管理サーバ１１の電子カルテデータベースに登録を行う（ステップＳ１１）。
【００１５】
これにより電子カルテ管理サーバ１１は、検査依頼データに対応する検査内容データを検査管理サーバ２１に対して通知する（ステップＳ１２）。
続いて、検査管理サーバ２１は、通知された検査内容データを外部記憶装置２５に登録する（ステップＳ１３）。
【００１６】
その後、ハンディターミナル１４が検査管理サーバ２１に対して、検査技師（あるいは看護師）を特定するＩＤ及び当該ハンディターミナル１４を特定するターミナルＩＤとともに、検査内容の問い合わせを行う（ステップＳ１４）。ここで、検査内容の問い合わせは、リアルタイムクロック３９の計時情報（あるいは、外部のタイムサーバ１８：図１参照）に基づいて、自動的に所定の時間毎に行うようにされている。なお、予め検査技師（あるいは看護師）を特定するＩＤ及び当該ハンディターミナル１４を特定するターミナルＩＤを通知しておくことにより、対応する検査内容データが検査管理サーバ２１に通知された場合に、検査管理サーバ２１がハンディターミナル１４に自動的に検査内容データを配信するようにしたり、検査技師（あるいは看護師）等のユーザの操作にしたがって不定期で問い合わせを行うようにしたりしてもよい。
【００１７】
ステップＳ１４の検査内容の問い合わせに対応して、検査管理サーバ２１は、問い合わせに用いられた検査技師（あるいは看護師）を特定するＩＤ及び当該ハンディターミナル１４を特定するターミナルＩＤに対して配信すべき検査内容データを外部記憶装置２５から読み出し、通知する（ステップＳ１５）。
ここで、通知される検査内容データは、医師名（又は医師を特定する医師ＩＤ）、患者名（又は患者を特定する患者ＩＤ）及び看護師名（又は看護師を特定する看護師ＩＤ）の組み合わせに対応づけられている。
これにより、ハンディターミナル１４のＭＰＵ３５は、フラッシュＲＯＭ３８に検査内容データを記憶する（ステップＳ１６）。
そして記憶した検査内容データに基づいて、画面表示を行う（ステップＳ１７）。
【００１８】
図６は、ハンディターミナルにおける画面表示例の説明図である。
ハンディターミナル１４のディスプレイ３２には、医師、患者及び看護師の組み合わせ毎に、検査内容が表示される。
例えば、図６（ａ）の場合には、医師名＝「○○  △△」、患者名＝「□□  ▽▽」、看護師名＝「☆☆  □△」の組み合わせに対する検査内容（検査項目）として、血球数などの検査を行う血液学的検査及び血清と呼ばれる血液の液体成分の検査を行う生化学的検査の２種類の血液検査が指示されている旨が表示される。
【００１９】
図７は、第１実施形態における検査時の処理タイミングチャートである。
図８は、第１実施形態における検査時の動作説明図である。
検査技師（あるいは看護師）は、対面状態にいる患者に対して検査を行うに先だって、患者の腕等に巻かれたリストバンドや、患者の持参した検査表等に印刷されている二次元バーコード等のコードシンボルＣＳ１を読み取り（ステップＳ２１）、デコードすることにより当該コードシンボルＣＳ１に対応する医師名（又は医師を特定する医師ＩＤ）、患者名（又は患者を特定する患者ＩＤ）及び看護師名（又は看護師を特定する看護師ＩＤ）を抽出し、医師名（又は医師を特定する医師ＩＤ）、患者名（又は患者を特定する患者ＩＤ）及び看護師名（又は看護師を特定する看護師ＩＤ）とともに検査内容の問い合わせを行う（ステップＳ２２）。
【００２０】
ステップＳ２２の検査内容の問い合わせに対応して、検査管理サーバ２１は、問い合わせに用いられた医師名（又は医師を特定する医師ＩＤ）、患者名（又は患者を特定する患者ＩＤ）及び看護師名（又は看護師を特定する看護師ＩＤ）の組み合わせに対応して配信すべき検査内容データを外部記憶装置２５から読み出し、通知する（ステップＳ２３）。
これにより、ハンディターミナル１４のＭＰＵ３５は、フラッシュＲＯＭ３８に検査内容データを記憶する（ステップＳ２４）。
【００２１】
そしてステップＳ２４で記憶した検査内容データに対応する医師名（又は医師を特定する医師ＩＤ）、患者名（又は患者を特定する患者ＩＤ）及び看護師名（又は看護師を特定する看護師ＩＤ）の組み合わせを有する検査内容データが既に通知されており内容変更があるか否かを判別する（ステップＳ２５）。すなわち、ステップＳ１６で記憶した検査内容データと同一の医師名（又は医師を特定する医師ＩＤ）、患者名（又は患者を特定する患者ＩＤ）及び看護師名（又は看護師を特定する看護師ＩＤ）の組み合わせの検査内容データが通知された場合に検査内容データに対応する検査内容の変更が有るか否かを判別する。
【００２２】
ステップＳ２５の判別の結果、検査内容の変更が無かった場合には（ステップＳ２５；Ｎｏ）、図６（ａ）で示した検査内容と同一の検査内容がディスプレイ３２に表示される（ステップＳ２６）。
これに対し、ステップＳ２５の判別結果、検査内容の変更があった場合には（ステップＳ２５；Ｙｅｓ）、検査内容の変更状態（追加、変更、削除を含む）が容易にハンディターミナル１４のオペレータである検査技師（あるいは看護師）において把握できるように変更内容強調表示を行う（ステップＳ２７）。
【００２３】
例えば、新たな検査内容として、「胸部Ｘ線検査」が追加されたような場合には、図６（ｂ）に示すように、追加されたことを示す「★」印とともに、新たに追加された検査内容である「３．胸部Ｘ線検査」を表示することとなる。この場合において、追加された内容であることを示す色で表示したり、太字や斜体文字で表示したり、下線を引いたりするようにしてもよい。
【００２４】
また、検査内容が変更された場合には、検査内容が変更されたことを示す印とともに、変更後の内容を変更前との差が明確になるように表示を行う。具体的には、追加された内容については、斜体で表示したり、色を変えたりして表示する。
さらに、検査内容が削除された場合には、内容が削除されたことを示す印とともに、内容が削除されていることが明確になるように表示を行う。具体的には、削除された内容については、反転表示したり、文字を薄く表示したり、色を変えて表示する。
【００２５】
以上の説明のように、本第１実施形態によれば、検査直前に医師により依頼された検査内容の確認を容易に行うことができ、確実に検査内容を確認でき、検査依頼と検査の実施の整合性を図ることができ、確実に検査を実施できる。
【００２６】
［２］第２実施形態
以上の第１実施形態の説明においては、検査時の確認において、医師名、患者名及び看護師名に基づいて検査内容の確認を行っていたが、本第２実施形態は、より入念に検査内容を確認する場合の実施形態である。
本第２実施形態においては、患者名（あるいは患者ＩＤ）に加えて検査室へ届いている検査依頼コード及び患者等が持参した検査票に印字されている検査票コードの組み合わせに基づいて検査内容を確認している。
【００２７】
図９は、第２実施形態における検査時の動作説明図である。
検査技師（あるいは看護師）は、対面状態にいる患者に対して検査を行うに先だって、患者の腕等に巻かれたリストバンドや、患者の持参した検査表等に印刷されている二次元バーコード等のコードシンボルＣＳ１を読み取り、デコードすることによりコードシンボルＣＳ１に対応する医師名（又は医師を特定する医師ＩＤ）、患者名（又は患者を特定する患者ＩＤ）及び看護師名（又は看護師を特定する看護師ＩＤ）を抽出する（ステップＳ３１）。
【００２８】
続いて検査技師（あるいは看護師）は、検査室へ届いている検査依頼に対応する二次元バーコード等のコードシンボルＣＳ２を読み取り、デコードすることによりコードシンボルＣＳ２に対応する検査依頼コードを抽出する（ステップＳ３２）。
さらに検査技師（あるいは看護師）は、患者あるいは患者の付添者等が持参した検査票に印字されている二次元バーコード等のコードシンボルＣＳ３を読み取り、デコードすることによりコードシンボルＣＳ３に対応する検査票コードを抽出する（ステップＳ３３）。
【００２９】
これらの結果、ハンディターミナル１４のＭＰＵ３５は、医師名（又は医師を特定する医師ＩＤ）、患者名（又は患者を特定する患者ＩＤ）、看護師名（又は看護師を特定する看護師ＩＤ）、検査依頼コード及び検査票コードとともに検査内容の問い合わせを行う（ステップＳ３４）。
ステップＳ３４の検査内容の問い合わせに対応して、検査管理サーバ２１は、問い合わせに用いられた医師名（又は医師を特定する医師ＩＤ）、患者名（又は患者を特定する患者ＩＤ）、看護師名（又は看護師を特定する看護師ＩＤ）、検査依頼コード及び検査票コードの組み合わせに対応して配信すべき検査内容データを外部記憶装置２５から読み出し、通知する（ステップＳ３５）。
【００３０】
これにより、ハンディターミナル１４のＭＰＵ３５は、フラッシュＲＯＭ３８に検査内容データを記憶し、記憶した検査内容データに対応する医師名（又は医師を特定する医師ＩＤ）、患者名（又は患者を特定する患者ＩＤ）、看護師名（又は看護師を特定する看護師ＩＤ）、検査依頼コード及び検査票コードの組み合わせを有する検査内容データが既に通知されており内容変更があるか否かを判別する。
【００３１】
この判別の結果、内容変更が無かった場合には、図６（ａ）で示したような、検査前の通知内容と同一の内容がディスプレイ３２に表示される。
これに対し、判別の結果、内容変更があった場合には、図６（ｂ）で示したような内容変更が容易にハンディターミナル１４のオペレータである検査技師（あるいは看護師）に把握できるように変更内容強調表示を行う。
【００３２】
以上の説明のように、本第２実施形態によれば、従来の本人確認に加えて、検査直前に医師により依頼された検査内容の確認をより厳密に、かつ、容易に行うことができ、確実に検査内容を確認でき、検査依頼と検査の実施の整合性を図ることができ、確実に検査を実施できる。
【００３３】
［３］実施形態の変形例
以上の実施形態においては、コードシンボルとして二次元バーコードを用いていたが、（一次元）バーコード、ＲＦＩＤタグ等を用いて、ハンディターミナル（検査支援装置、情報処理端末装置）に対応する読取装置を設けるように構成することも可能である。
【００３４】
また、以上の説明においては、検査内容が変更された場合に、表示態様を異ならせる場合について説明したが、検査内容を音声で通知する場合には、音声を変更（例えば、女声を男声にする等）するようにしてもよい。また、インジケータを設けて、インジケータにより検査内容が変更された旨を通知するようにしてもよい。
【００３５】
実施形態の検査支援装置（情報処理端末装置、ハンディターミナル）の他の第１態様においては、患者及び検査依頼者（医者）に対応づけて予め患者に対して行うべき検査の内容を表す第１検査内容データを記憶する記憶手段と、特定の患者に対する検査を特定するための検査特定情報（コードシンボル、バーコード、２次元バーコード）が入力される検査情報入力手段（データ入力装置、コードシンボル検出装置、バーコード読取装置、スキャナ装置）と、検査特定情報に基づいて検査管理サーバに対し、検査に先立って問い合わせを行い、当該問い合わせ時点における特定の患者に対して行うべき検査の内容を表す第２検査内容データの通知を受け取る検査内容受取手段（通信装置、ＭＰＵ）と、前記特定の患者に対応する、前記第１検査内容データと、前記第２検査内容データと、を比較し、前記特定の患者に対して行うべき検査の内容に変更があった場合には、その旨を通知する通知手段（ＭＰＵ、ディスプレイ）と、を備えるようにしてもよい。
【００３６】
また、実施形態の検査支援装置（情報処理端末装置、ハンディターミナル）の他の第２態様においては、通知手段は、前記検査内容に変更があった場合には、前記第１検査内容データ及び前記第２検査内容データに基づいて、当該変更された検査内容を変更されていない検査内容と識別可能（表示態様を異ならせる、音声を異ならせる、通知ランプの発光パターン、色を異ならせる等）に通知するようにしてもよい。
また、検査支援装置（情報処理端末装置、ハンディターミナル）の他の第３態様においては、前記通知手段は、前記変更された検査内容を変更されていない検査内容と識別可能な態様（書体を異ならせる、強調表示を行う、反転表示を行う、異なる色で表示する等）で表示する表示手段（ディスプレイ、ランプ等）を備えるようにしてもよい。
【００３７】
また、実施形態の検査支援装置（情報処理端末装置、ハンディターミナル）の他の第４態様においては、前記検査特定情報は、前記特定の患者に割り当てられるコードシンボル（バーコード、二次元バーコード等）に含まれるように構成されており、前記検査情報入力手段は、前記コードシンボルを読み取るコード読取手段（磁気コードリーダ、バーコードリーダ、スキャナ、ＲＦＩＤリーダ等）を備えているようにしてもよい。
【００３８】
また、検査支援装置（情報処理端末装置、ハンディターミナル）の他の第５態様においては、前記検査特定情報は、前記特定の患者を特定する情報（患者名、患者ＩＤ等）及び前記検査依頼者である医師を特定する情報（医師名、医師ＩＤ）を含む、ようにしてもよい。さらに、看護師を特定する情報（看護師名、看護師ＩＤ）を含めるようにしてもよい。
【００３９】
また、検査支援システムの他の態様においては、検査依頼者からの依頼に対応する、特定の患者に対して行うべき検査の内容を、前記特定の患者及び前記検査依頼者に対応づけて検査内容データとして予め記憶する検査内容記憶手段と、前記検査内容データを予め第１検査内容データとして通知する第１通知手段と、特定の患者に対する検査を特定して検査内容データに対する問い合わせがあった場合に、対応する検査内容データを第２検査内容データとして問い合わせ元に通知する第２通知手段と、を有する検査管理サーバと、通知された前記第１検査内容データを記憶する記憶手段と、特定の患者に対する検査を特定するための検査特定情報が入力される検査情報入力手段と、前記検査特定情報に基づいて検査管理サーバに対し、検査に先立って前記問い合わせを行い、通知された前記第２検査内容データの通知を受け取る検査内容受取手段と、前記特定の患者に対応する、前記第１検査内容データと、前記第２検査内容データと、を比較し、前記特定の患者に対して行うべき検査の内容に変更があった場合には、その旨を通知する通知手段と、を有する検査支援装置（情報処理端末装置、ハンディターミナル）と、を備えるようにしてもよい。
【００４０】
また、実施形態の検査支援装置で実行される制御プログラムは、通信ネットワークを介して検査管理サーバと通信可能に接続された検査支援装置をコンピュータにより制御するための制御プログラムであって、コンピュータを、患者及び検査依頼者に対応づけて予め前記患者に対して行うべき検査の内容を表す第１検査内容データを記憶する記憶手段と、特定の患者に対する検査を特定するための検査特定情報が入力される検査情報入力手段と、前記検査特定情報に基づいて検査管理サーバに対し、検査に先立って問い合わせを行い、当該問い合わせ時点における前記特定の患者に対して行うべき検査の内容を表す第２検査内容データの通知を受け取る検査内容受取手段と、前記特定の患者に対応する、前記第１検査内容データと、前記第２検査内容データと、を比較し、前記特定の患者に対して行うべき検査の内容に変更があった場合には、その旨を通知する通知手段と、して機能させるようにしてもよい。
【００４１】
本実施形態の検査支援装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４２】
また、本実施形態の検査支援装置で実行される制御プログラムを、インターネット等のネットワークに接続されたコンピュータ上に格納し、ネットワーク経由でダウンロードさせることにより提供するように構成してもよい。また、本実施形態の検査支援装置で実行される制御プログラムをインターネット等のネットワーク経由で提供または配布するように構成してもよい。
また、本実施形態の検査支援装置の制御プログラムを、ＲＯＭ等に予め組み込んで提供するように構成してもよい。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１０    検査管理システム
１１    電子カルテ管理サーバ
１２    情報端末装置
１３    検査管理システム
１４    ハンディターミナル（検査支援装置）
１５    無線通信ネットワーク
１６    通信ネットワーク
１７    アクセスポイント
２１    検査管理サーバ
２２    ディスプレイ
２３    操作端末
２４    プリンタ
２５    外部記憶装置
３１    スキャナ
３２    ディスプレイ（通知手段、表示手段）
３３    タッチパネル
３５    ＭＰＵ
ＣＳ１〜ＣＳ３  コードシンボル
【先行技術文献】
【特許文献】
【００４５】
【特許文献１】特開２００７−２４１７８７号公報
【図１】
2013131021.tif 000003
【図２】
2013131021.tif 000004
【図３】
2013131021.tif 000005
【図４】
2013131021.tif 000006
【図５】
2013131021.tif 000007
【図６】
2013131021.tif 000008
【図７】
2013131021.tif 000009
【図８】
2013131021.tif 000010
【図９】
2013131021.tif 000011